(57)【要約】
　【課題】　自動販売機に対して良好に取り付けることができる自動販売機用のダミー体およびダミー体を良好に取り付けることができる自動販売機を提供する。
　【解決手段】　ほぼ半割り状をしており、上側から順に、胴体部６と、自動販売機１の架台部３ａに設けた開口５の周縁部に係合する溝部７と、前記開口５の下方に挿入される挿入部８とを有する自動販売機用のダミー体Ｄであって、前記挿入部８の左右両端部分に、前記開口５の周縁部よりも側方に突出する突出部分１０を設けた。
　【選択図】　図２
0003099772.tif 000002
【実用新案登録請求の範囲】
【請求項１】
　ほぼ半割り状をしており、上側から順に、胴体部と、自動販売機の架台部に設けた開口の周縁部に係合する溝部と、前記開口の下方に挿入される挿入部とを有する自動販売機用のダミー体であって、前記挿入部の左右両端部分に、前記開口の周縁部よりも側方に突出する突出部分を設けたことを特徴とする自動販売機用のダミー体。
【請求項２】
　ほぼ半割り状をしており、上側から順に、胴体部と、自動販売機の架台部に設けた開口の周縁部に係合する溝部と、前記開口の下方に挿入される挿入部とを有する自動販売機用のダミー体であって、前記溝部および挿入部のそれぞれの左右両端部分に、側方に突出する突出部分を設け、挿入部に設けた突出部分は開口の周縁部よりも側方に突出し、かつ溝部に設けた突出部分よりも側方に突出するように構成したことを特徴とする自動販売機用のダミー体。
【請求項３】
　開口の左右両側に、側方に突出する切り欠き部分が形成されており、溝部に設けた突出部分が、前記切り欠き部分の後端部に当接するように構成してある請求項２に記載の自動販売機用のダミー体。
【請求項４】
　挿入部に設けた突出部分の側面が、下側ほど内側に位置するように傾斜している請求項１〜３のいずれかに記載の自動販売機用のダミー体。
【考案の詳細な説明】
【技術分野】
【０００１】
　本考案は、例えば、ジュースやコーヒー、ビールなどの缶入りや壜入りの飲料、あるいは、煙草、インスタントカメラ等を無人販売するための自動販売機用のダミー体に関する。
【背景技術】
【０００２】
　例えば、各種飲料の自動販売機においては、その前面部に、販売対象とする実物の商品の代わりに展示されるダミー体として、実商品の前半分の形状に酷似させた半割り状のものが使用されている。
【０００３】
　前記自動販売機の上部には展示室が設けられ、展示室の前面は透明パネルによって覆われているとともに、展示室の下方には照明光源が設けられており、また、展示室の内部の架台部には、照明光源の光透過用の開口が複数形成されている。
【０００４】
　一方、前記ダミー体は、上側から順に、胴体部と、前記架台部の開口の周縁部に係合する溝部と、前記開口の下方に挿入される挿入部とを有し、挿入部を前記開口に嵌め込んだ状態とすることにより前記架台部に取り付けられる。
【０００５】
　そして、架台部に対するダミー体の取り付けは、ダミー体の左右両端を手で挟んで変形させ、細くなった状態の挿入部を前記開口に挿入することで行っていた。
【考案の開示】
【考案が解決しようとする課題】
【０００６】
　しかし、上記従来のダミー体は、一般的に真空成形または圧空成形によって成形されていたのであるが、真空成形および圧空成形は、約１ｍｍ程度の薄肉である架台部に設けられた開口の周縁にしっかりと当接するように前記溝部を精密に成形することには適しておらず、特に溝部が浅すぎた場合には、架台部に対するダミー体の取り付けに支障が生じるおそれがあった。
【０００７】
　この考案は上述の事柄に留意してなされたもので、その目的は、自動販売機に対して良好に取り付けることができる自動販売機用のダミー体を提供することである。
【課題を解決するための手段】
【０００８】
　上記目的を達成するために、本考案の自動販売機用のダミー体は、ほぼ半割り状をしており、上側から順に、胴体部と、自動販売機の架台部に設けた開口の周縁部に係合する溝部と、前記開口の下方に挿入される挿入部とを有する自動販売機用のダミー体であって、前記挿入部の左右両端部分に、前記開口の周縁部よりも側方に突出する突出部分を設けている（請求項１）。
【０００９】
　また、本考案の自動販売機用のダミー体は、ほぼ半割り状をしており、上側から順に、胴体部と、自動販売機の架台部に設けた開口の周縁部に係合する溝部と、前記開口の下方に挿入される挿入部とを有する自動販売機用のダミー体であって、前記溝部および挿入部のそれぞれの左右両端部分に、側方に突出する突出部分を設け、挿入部に設けた突出部分は開口の周縁部よりも側方に突出し、かつ溝部に設けた突出部分よりも側方に突出するように構成した（請求項２）。
【００１０】
　さらに、開口の左右両側に、側方に突出する切り欠き部分が形成されており、溝部に設けた突出部分が、前記切り欠き部分の後端部に当接するように構成してもよい（請求項３）。
【００１１】
　また、挿入部に設けた突出部分の側面が、下側ほど内側に位置するように傾斜していることが好ましい（請求項４）。
【考案の効果】
【００１２】
　上記の構成からなる本考案によれば、自動販売機に対して容易かつ良好に取り付けることができる自動販売機用のダミー体を提供することが可能となる。
【００１３】
　すなわち、請求項１に係る考案では、挿入部の左右両端部分に、開口の周縁部よりも側方に突出する突出部分を設けていることから、ダミー体が開口から抜けることを前記突出部分によって確実に防止することができるとともに、胴体部の後ろ側だけが持ち上がってダミー体が前に倒れることも確実に防止されるので、ダミー体の溝部が若干浅くても良好に自動販売機の架台部に取り付けることができ、また、溝部を非常に精密に成形する必要がないので、真空成形または圧空成形にも十分対応したものとなる。
【００１４】
　請求項２に記載された考案では、挿入部の左右両端部分に突出部分を設けているので、例えば、この突出部分を開口の周縁に当接するように構成することで、架台部に取り付けた状態のダミー体ががたつくことが確実に防止され、ダミー体がより安定した良好な状態で架台部に取り付けられることとなる。
【００１５】
　請求項３に記載された考案では、溝部に設けた突出部分を切り欠き部分の後端部に当接させることによって、ダミー体を架台部に取り付けたときに、ダミー体の軸まわりの回転が確実に防止され、また、ダミー体が開口内において後ろ側にずれることもなくなるとともに、ダミー体ががたつくことも効果的に防止され、より安定した状態でダミー体を架台部に取り付けることが可能となる。
【００１６】
　請求項４に記載された考案では、挿入部に設けた突出部分の側面が、下側ほど内側に位置するように傾斜しているので、架台部の開口に挿入部を挿入するときに、前記突出部分はその側面がガイドとなって開口内にスムーズに挿入され、従って、架台部に対するダミー体の取り付けは、胴体部の左右両端を手で挟んで変形させたりする必要がなく、容易に行うことができる。
【考案を実施するための最良の形態】
【００１７】
　以下、本考案の実施の形態を図面に基づいて説明する。図１〜図４は、本考案の一実施例を示す図である。
【００１８】
　図１に示すように、この実施例の自動販売機１は、商品補充のために開閉自在に設けられた扉２を前面に有している。この扉２の上部には、ダミー体Ｄを展示するための展示部３が設けられている。各展示部３の下部には、各ダミー体Ｄに関連付けて商品選択用の押しボタン２ａが配置され、また、自動販売機１の前面下部には、商品取り出し口２ｂが設けられている。なお、２ｃは硬貨投入口、２ｄは紙幣投入口、２ｅは釣り銭口、２ｆは釣り銭返却用の操作レバーである。
【００１９】
　展示部３は、ダミー体Ｄを支えるための架台部３ａと、この架台部３ａに連設された背面部３ｂとを備え、内部に前記ダミー体Ｄが取り付けられるように構成されている。
【００２０】
　架台部３ａの下方には、図２に示すように、照明光源４が配置されている。この照明光源４は、例えば螢光灯であり、照明光源４からの光は、架台部３ａに設けられた開口５を通過して前記ダミー体Ｄに照射され、この照射によりダミー体Ｄがライトアップされることとなる。
【００２１】
　開口５は、ほぼ円形状をしており、左右両側にはそれぞれ、側方に突出するように切り欠かれた切り欠き部分５ａを有している。
【００２２】
　ダミー体Ｄは、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性に優れた素材を用いて、真空成形または圧空成形によって形成される。
【００２３】
　上記のようにして形成されるダミー体Ｄは、壜タイプの飲料容器に対応するほぼ半割り形状（社会通念上の半割り形状よりも広く、例えば三日月形状やＣの字形状を含む形状）をしており、ダミー体Ｄの表面（前面）には、商品を示す図柄が印刷されているか、または図柄を印刷したラベルが貼付などの手段により保持されている。
【００２４】
　そして、図２および図３（Ａ）に示すように、ダミー体Ｄは、上側から順に、壜タイプの飲料容器の前半分の形状に酷似した形状を呈する胴体部６と、前記開口５の周縁部に係合する溝部７と、前記開口５の下方に挿入される挿入部８とを備えている。なお、図３（Ａ）に示す線Ｘは、ダミー体Ｄの断面形状をわかりやすく示すためのものであり、ダミー体Ｄが線Ｘを境にして分割されていることを示すものではない。
【００２５】
　溝部７の上下方向の幅は、開口５が形成された架台部３ａの厚みとほぼ同じかそれよりも大きくなるように形成することが望ましい（図４（Ｂ）参照）。
【００２６】
　挿入部８は、前記胴体部６の下部に比べて小径となっており、また、外周面が下側ほど小径となるように形成されている。
【００２７】
　さらに、溝部７および挿入部８のそれぞれの左右両端部分に、側方に突出する突出部分９，１０を設け、溝部７に設けた突出部分９よりも挿入部８に設けた突出部分１０のほうが側方に突出するように構成してある。
【００２８】
　前記突出部分９，１０はつながっており、また、図３（Ｂ）に示すように、溝部７および挿入部８の周方向（すなわちほぼ前後方向）に適宜の幅ｗを有している。
【００２９】
　また、突出部分１０の側面は、図４（Ｂ）に示すように、下側ほど内側に位置するように傾斜している。
【００３０】
　上記構成からなるダミー体Ｄを前記架台部３ａに取り付けるには、ダミー体Ｄの下側に形成された挿入部８を架台部３ａに設けられた開口５に上方から挿入すればよい。ここで、挿入部８は開口５よりも若干大きく形成されているが、上述したように、挿入部８の側面には下側ほど細くなる傾斜を設けてあるとともに、突出部分１０の側面には下側ほど内側に位置する傾斜を設けてあるので、挿入部８を開口５に上方から挿入したときに、挿入部８の側面と突出部分１０の側面とによるガイドによって、挿入部８は自動的に若干細くなるように変形しながら開口５内にスムーズに挿入されることとなり、このときに作業者が手などでダミー体Ｄ下部の左右を挟んで変形させる必要はない。
【００３１】
　なお、挿入部８を開口５に挿入する際には、図４（Ａ）に示すように、溝部７および挿入部８の左右両端部分に設けられた突出部分９，１０が開口５の切り欠き部分５ａ，５ａ内におさまるようにダミー体Ｄの位置や向きを調節する。
【００３２】
　上記のように、開口５内への挿入部８の挿入が完了すると、変形していたダミー体Ｄ（挿入部８）自身が有する復元力のはたらきにより、開口５の周縁部に溝部７が当接し、図４（Ｂ）に示すように、ダミー体Ｄが架台部３ａに取り付けられた状態となる。
【００３３】
　上記のように取り付けられたダミー体Ｄを架台部３ａから取り外すには、作業者が手などでダミー体Ｄ下部の左右を挟んで変形させ、細くなった状態の挿入部８を架台部３の開口５から持ち上げるようにして引き抜けばよい。
【００３４】
　ダミー体Ｄが架台部３ａに取り付けられたときに、溝部７の左右両端部分に設けられた突出部分９は、図４（Ａ）に示すように、開口５の周縁に設けられた切り欠き部分５ａの後端部に当接し、これにより、ダミー体Ｄの軸まわりの回転を確実に防止し、ダミー体Ｄの向きを規制するとともに、ダミー体Ｄが開口５内において後ろ側にずれることを防止するストッパとしての役割を果たす。また、突出部分９により、架台部３ａに取り付けたダミー体Ｄががたつくことも効果的に防止される。
【００３５】
　また、ダミー体Ｄが架台部３ａに取り付けられたときに、挿入部８の左右両端部分に設けられた突出部分１０は、図４（Ａ）および（Ｂ）に示すように、開口５の左右両側、すなわち切り欠き部分５ａよりも側方に突出し、これにより、ダミー体Ｄが開口５から容易に抜けることを防止するとともに、胴体部６の後ろ側だけが持ち上がってダミー体Ｄが前に倒れることを確実に防止するストッパとしての役割を果たす。
【００３６】
　従って、ダミー体Ｄは、架台部３ａに対して非常に安定した良好な状態で取り付けられることとなる。
【００３７】
　さらに、ダミー体Ｄを架台部３ａに取り付けるときに、切り欠き部分５ａに対応する位置に設けられた突出部分９，１０を目安として用いることができるので、ダミー体Ｄをより容易に架台部３ａに取り付けることが可能となる。
【００３８】
　また、前記突出部分９，１０は、例えば真空成形または圧空成形などによってダミー体Ｄを形成する工程で形成することができ、突出部分９，１０を形成するための新たな工程などを設ける必要がなく、従って、突出部分９，１０を有するダミー体Ｄを、従来のダミー体と同様に安価に形成することができる。
【００３９】
　なお、前記ダミー体Ｄは、壜タイプの飲料容器に対応する形状をするものに限られず、半割り形状をしておればよいのであり、例えば、缶タイプの飲料容器に対応する形状をしていてもよいし、その他、インスタントカメラに対応する形状をしていてもよい。
【００４０】
　また、前記ダミー体Ｄが挿入される開口５としては、例えば、図２および図４（Ｂ）に示すように、前記切り欠き部分５ａ以外に切り欠き部分５ｂ，５ｃを有するような別のダミー体用に設けられた既存のものであってもよい。
【図面の簡単な説明】
【００４１】
【図１】本考案の一実施例に係る自動販売機用のダミー体を備えた自動販売機の構成を概略的に示す斜視図である。
【図２】前記自動販売機の要部の構成を概略的に示す斜視図である。
【図３】（Ａ）および（Ｂ）は、前記ダミー体の要部の構成を概略的に示す斜視図および底面図である。
【図４】（Ａ）および（Ｂ）は、架台部に取り付けた状態の前記ダミー体の要部の構成を概略的に示す平面図および縦断面図である。
【符号の説明】
【００４２】
　　１　自動販売機
　３ａ　架台部
　　５　開口
　　６　胴体部
　　７　溝部
　　８　挿入部
　１０　突出部分
　　Ｄ　ダミー体
【図１】
0003099772.tif 000003
【図２】
0003099772.tif 000004
【図３】
0003099772.tif 000005
【図４】
0003099772.tif 000006